(57)【要約】    【課題】      各種の操作モードにおいて表示されている操作画面がどの操作モードのものであるかを簡単に識別可能とし、ユーザーおよびメンテナンス要員がそれぞれ操作する場合などにも操作画面の判別が容易で、手間や時間を浪費することを回避可能なプリンターの操作画面表示装置および付属の参照用表示シートを提供すること。    【解決手段】  各操作画面に統一した識別色を表示すること、たとえば登録モードには青色、発行モードには赤色、環境設定モードには緑色、履歴出力モードには黄色などと特色ある色を付与すること、あるいは、互いに異なる識別色あるいは表示パターンで表示することに着目したもので、各種操作モードに応じて操作画面をスタート画面から下位方向に切り替えてそれぞれ表示可能とし、それぞれの操作画面において所定の操作処理を入力可能とし、操作モードごとにそれぞれの操作画面の少なくとも一部に、操作モードを互いに識別可能なそれぞれ異なる識別色を表示することを特徴とする。【選択図】        図２
2006116885.tif 000002
【特許請求の範囲】
【請求項１】
プリンターの各種操作モードに応じて操作画面をスタート画面から下位方向に切り替えてそれぞれ表示可能とし、それぞれの操作画面において所定の操作処理を入力可能とするプリンターの操作画面表示装置であって、
前記操作モードごとにそれぞれの前記操作画面の少なくとも一部に、前記操作モードを互いに識別可能なそれぞれ異なる識別色を表示することを特徴とするプリンターの操作画面表示装置。
【請求項２】
前記操作画面の地色を前記識別色とすることを特徴とする請求項１記載のプリンターの操作画面表示装置。
【請求項３】
前記操作画面のタイトル表示領域に前記識別色を表示することを特徴とする請求項１記載のプリンターの操作画面表示装置。
【請求項４】
前記操作モードにおいて、互いに混同しやすい表示内容がある前記操作画面どうしについて、同系色の前記識別色であって、互いに識別可能な識別色にそれぞれ表示することを特徴とする請求項１記載のプリンターの操作画面表示装置。
【請求項５】
前記操作モードにおいて、互いに混同しやすい表示内容がある前記操作画面どうしについて、前記識別色について互いに識別可能な異なる表示パターンにそれぞれ表示することを特徴とする請求項１記載のプリンターの操作画面表示装置。
【請求項６】
前記互いに混同しやすい表示内容は、前記操作モードにおいて、その同位に位置する下位操作画面どうしの間に表示されていることを特徴とする請求項４あるいは５いずれかに記載のプリンターの操作画面表示装置。
【請求項７】
前記互いに混同しやすい表示内容は、前記操作モードにおいて、その上位操作画面と下位操作画面との間に表示されていることを特徴とする請求項４あるいは５いずれかに記載のプリンターの操作画面表示装置。
【請求項８】
前記操作画面の目立つ部位に前記操作モードの名称をそれぞれ表示することを特徴とする請求項１記載のプリンターの操作画面表示装置。
【請求項９】
プリンターの各種操作モードに応じて操作画面をスタート画面から下位方向に切り替えてそれぞれ表示可能とし、それぞれの操作画面において所定の操作処理を入力可能とするプリンターの操作画面表示装置であって、
前記操作モードにおいて、互いに混同しやすい表示内容を有する前記操作画面どうしについて、それぞれの前記操作画面の少なくとも一部に、互いに識別可能な異なる識別色を表示することを特徴とするプリンターの操作画面表示装置。
【請求項１０】
プリンターの各種操作モードに応じて操作画面をスタート画面から下位方向に切り替えてそれぞれ表示可能とし、それぞれの操作画面において所定の操作処理を入力可能とするプリンターの操作画面表示装置であって、
前記操作モードにおいて、互いに混同しやすい表示内容を有する前記操作画面どうしについて、それぞれの前記操作画面の少なくとも一部に、互いに識別可能な異なる表示パターンの識別色をそれぞれ表示することを特徴とするプリンターの操作画面表示装置。
【請求項１１】
プリンターの各種操作モードに応じて操作画面をスタート画面から下位方向に切り替えてそれぞれ表示可能とし、それぞれの操作画面において所定の操作処理を入力可能とするプリンターの操作画面表示装置に付属の参照用表示シートであって、
所定の大きさを有するシート本体を有し、
このシート本体に、前記操作モードごとに、前記各操作画面に対応した表示用シート領域を階層構造で形成し、この表示用シート領域に前記操作画面のタイトルをそれぞれ表示するとともに、
前記操作モードにおいて、互いに混同しやすい表示内容を有する前記操作画面どうしについて、それぞれの前記表示用シート領域の少なくとも一部に、互いに識別可能な異なる識別色を表示してあることを特徴とするプリンターの操作画面表示装置に付属の参照用表示シート。
【請求項１２】
プリンターの各種操作モードに応じて操作画面をスタート画面から下位方向に切り替えてそれぞれ表示可能とし、それぞれの操作画面において所定の操作処理を入力可能とするプリンターの操作画面表示装置に付属の参照用表示シートであって、
所定の大きさを有するシート本体を有し、
このシート本体に、前記操作モードごとに、前記各操作画面に対応した表示用シート領域を階層構造で形成し、この表示用シート領域に前記操作画面のタイトルをそれぞれ表示するとともに、
前記操作モードにおいて、互いに混同しやすい表示内容を有する前記操作画面どうしについて、それぞれの前記表示用シート領域の少なくとも一部に、互いに識別可能な異なる表示パターンの識別色をそれぞれ表示してあることを特徴とするプリンターの操作画面表示装置に付属の参照用表示シート。
【発明の詳細な説明】
【技術分野】
【０００１】
本発明はプリンターの操作画面表示装置および付属の参照用表示シートにかかるもので、とくにそれぞれの操作画面に同一あるいは類似した表示内容が表示されて互いに混同するおそれがあるプリンターの操作画面表示装置および付属の参照用表示シートに関するものである。
【背景技術】
【０００２】
従来のラベルあるいはタグなどの値札その他の情報表示片（印字用紙）に印字を行うサーマルプリンター、熱転写プリンターその他各種のプリンターにおいては、必要なデータあるいはコマンドを入力するために、その表示装置（ディスプレイ画面、あるいはタッチパネル画面）に必要な操作画面を表示し、それぞれの操作モードにおいてそのスタート画面（上位の操作画面）から下位方向に向かって階層構造すなわちツリー構造の操作画面が設定されている。操作モードとしては、たとえば、各種のレイアウトやデータその他をあらかじめ登録しておくための登録モード、情報表示片に実際に印字を行うための発行モード、各種の環境条件を設定するための環境設定モード、過去の実行履歴を出力するための履歴出力モード、などがある。
このような各種操作モードに応じて操作画面を下位操作画面に切り替えてそれぞれ表示可能とし、それぞれの操作画面においてデータやコマンドなど所定の操作処理を入力可能としている。
【０００３】
こうしたプリンターにおいては、それぞれの操作モードから多くの操作画面を下位方向に切り替えて必要な操作画面に到達して所定の操作を行うため、そのユーザーによる通常の使用操作中はもちろん、そのメンテナンス作業においても、いま画面に表示されている操作画面がどの操作モードのものか解らなくなる場合がある。この場合には、誤操作を回避するために、一度上位方向に画面を戻して、スタート画面を表示することによりどの操作モードであったかを確認する必要があり、手間および時間のロスにつながるという問題がある。
たとえば、異なる操作モードにおいて、同一ないし類似の、すなわち、互いに混同しやすい表示内容を有するマスターテーブルやマスターデータに関する表示画面を頻繁に使用することがあり、どの操作モードで処理を行っているかが不明となって操作に混乱をきたす場合があるという問題がある。
もちろん、たとえば登録モードという同一の操作モード内においても、同位の下位操作画面どうし、あるいは上位操作画面および下位操作画面において同一ないし類似の表示内容を有するマスターテーブルやマスターデータに関する表示画面を頻繁に使用することがあり、同様に、どの系統の処理を行っているかが不明となって操作に混乱をきたす場合があるという問題がある。
なお、マスターテーブルとは、たとえばラベルを貼り付ける商品などに応じて、品名、原材料、添加物、価格、その他の情報をそれぞれの印字データとしてラベルの所定領域に割り当てて、印字レイアウトないしデザイン（印字フォーマット）をあらかじめ設定したテーブルであり、マスターデータとは、たとえば商品の品名、原材料、添加物、価格、その他の情報をあらかじめ登録してある単語データである。
なお、上述のように、ユーザーやメンテナンス要員が実際の操作画面を見て操作する場合はもちろん、保守点検時あるいは修理作業時にメンテナンス要員とユーザーとが電話で応答する際には、上述のような混乱がさらに大きくなるという問題がある。
【０００４】
【特許文献１】特開平１０−２２６１４２号公報
【発明の開示】
【発明が解決しようとする課題】
【０００５】
本発明は以上のような諸問題にかんがみなされたもので、各種の操作モードにおいて表示されている操作画面がどの操作モードのものであるかを識別可能としたプリンターの操作画面表示装置および付属の参照用表示シートを提供することを課題とする。
【０００６】
また本発明は、プリンターにおける表示画面の系統あるいは操作モードを簡単に認識可能なプリンターの操作画面表示装置および付属の参照用表示シートを提供することを課題とする。
【０００７】
また本発明は、ユーザーおよびメンテナンス要員がそれぞれ操作する場合、さらにはこれらユーザーおよびメンテナンス要員の間において電話連絡する場合などにも操作画面の判別が容易で、手間や時間を浪費することを回避可能なプリンターの操作画面表示装置および付属の参照用表示シートを提供することを課題とする。
【課題を解決するための手段】
【０００８】
すなわち本発明は、各操作画面に統一した識別色を表示すること、たとえば登録モードには青色、発行モードには赤色、環境設定モードには緑色、履歴出力モードには黄色などと特色ある色を付与すること、あるいは同じ登録モードであっても、下位どうし、あるいは上位と下位とで少なくとも混同しがちな操作画面の表示には、互いに異なる識別色あるいは表示パターンで表示することに着目したもので、第一の発明は、プリンターの各種操作モードに応じて操作画面をスタート画面から下位方向に切り替えてそれぞれ表示可能とし、それぞれの操作画面において所定の操作処理を入力可能とするプリンターの操作画面表示装置であって、上記操作モードごとにそれぞれの上記操作画面の少なくとも一部に、上記操作モードを互いに識別可能なそれぞれ異なる識別色を表示することを特徴とするプリンターの操作画面表示装置である。
【０００９】
上記操作画面の地色を上記識別色とすることができる。
【００１０】
上記操作画面のタイトル表示領域に上記識別色を表示することができる。
【００１１】
上記操作モードにおいて、互いに混同しやすい表示内容がある上記操作画面どうしについて、同系色の上記識別色であって、色相ないしは色調、色の強弱、濃淡や明暗、彩度や明度の高低などを変化させ、互いに識別可能な識別色にそれぞれ表示することができる。
【００１２】
上記操作モードにおいて、互いに混同しやすい表示内容がある上記操作画面どうしについて、上記識別色について互いに識別可能な異なる表示パターン（たとえば、点模様、水玉模様、斜線模様、格子模様、市松模様、菱形模様、等々）にそれぞれ表示することができる。
【００１３】
上記互いに混同しやすい表示内容は、上記操作モードにおいて、その同位に位置する下位操作画面どうしの間に表示されていることができる。
【００１４】
上記互いに混同しやすい表示内容は、上記操作モードにおいて、その上位操作画面と下位操作画面との間に表示されていることができる。
【００１５】
上記操作画面の目立つ部位（たとえば上方部、上方左部や上方右部など）に上記操作モードの名称をそれぞれ表示することができる。
【００１６】
第二の発明は、プリンターの各種操作モードに応じて操作画面をスタート画面から下位方向に切り替えてそれぞれ表示可能とし、それぞれの操作画面において所定の操作処理を入力可能とするプリンターの操作画面表示装置であって、上記操作モードにおいて、互いに混同しやすい表示内容を有する上記操作画面どうしについて、それぞれの上記操作画面の少なくとも一部に、互いに識別可能な異なる識別色を表示することを特徴とするプリンターの操作画面表示装置である。
【００１７】
第三の発明は、プリンターの各種操作モードに応じて操作画面をスタート画面から下位方向に切り替えてそれぞれ表示可能とし、それぞれの操作画面において所定の操作処理を入力可能とするプリンターの操作画面表示装置であって、上記操作モードにおいて、互いに混同しやすい表示内容を有する上記操作画面どうしについて、それぞれの上記操作画面の少なくとも一部に、互いに識別可能な異なる表示パターンの識別色をそれぞれ表示することを特徴とするプリンターの操作画面表示装置である。
【００１８】
第四の発明は、プリンターの各種操作モードに応じて操作画面をスタート画面から下位方向に切り替えてそれぞれ表示可能とし、それぞれの操作画面において所定の操作処理を入力可能とするプリンターの操作画面表示装置に付属の参照用表示シートであって、所定の大きさを有するシート本体を有し、このシート本体に、上記操作モードごとに、上記各操作画面に対応した表示用シート領域を階層構造で形成し、この表示用シート領域に上記操作画面のタイトルをそれぞれ表示するとともに、上記操作モードにおいて、互いに混同しやすい表示内容を有する上記操作画面どうしについて、それぞれの上記表示用シート領域の少なくとも一部に、互いに識別可能な異なる識別色を表示してあることを特徴とするプリンターの操作画面表示装置に付属の参照用表示シートである。
【００１９】
第五の発明は、プリンターの各種操作モードに応じて操作画面をスタート画面から下位方向に切り替えてそれぞれ表示可能とし、それぞれの操作画面において所定の操作処理を入力可能とするプリンターの操作画面表示装置に付属の参照用表示シートであって、所定の大きさを有するシート本体を有し、このシート本体に、上記操作モードごとに、上記各操作画面に対応した表示用シート領域を階層構造で形成し、この表示用シート領域に上記操作画面のタイトルをそれぞれ表示するとともに、上記操作モードにおいて、互いに混同しやすい表示内容を有する上記操作画面どうしについて、それぞれの上記表示用シート領域の少なくとも一部に、互いに識別可能な異なる表示パターンの識別色をそれぞれ表示してあることを特徴とするプリンターの操作画面表示装置に付属の参照用表示シートである。
【発明の効果】
【００２０】
本発明によるプリンターの操作画面表示装置および付属の参照用表示シートにおいては、各操作画面に統一した識別色を表示するようにしたので、同一同様ないし類似の表示内容であっても、その表示色によってどの類の操作画面かの認識が可能であり、どの操作モードあるいはどの位置にある操作画面かという判断の混乱を防止し、画面における操作処理にかかる手間や不便さを解消することができる。
【００２１】
とくに第一の発明においては、操作モードごとに、それぞれの操作モードを互いに識別可能なそれぞれ異なる識別色を表示するようにしたので、操作モード間の操作画面の識別が容易である。
【００２２】
とくに第二の発明においては、互いに混同しやすい表示内容を有する操作画面どうしについて、それぞれの操作画面の少なくとも一部に、互いに識別可能な異なる識別色を表示するようにしたので、互いに似ている操作画面間の識別が容易である。
【００２３】
とくに第三の発明においては、操作モードにおいて、互いに混同しやすい表示内容を有する操作画面どうしについて、それぞれの操作画面の少なくとも一部に、互いに識別可能な異なる表示パターンの識別色をそれぞれ表示するようにしたので、互いに似ている操作画面間の識別が容易である。
【００２４】
とくに第四の発明においては、操作モードごとに、各操作画面に対応した表示用シート領域をシート本体に階層構造で形成し、この表示用シート領域に操作画面のタイトルをそれぞれ表示するとともに、互いに混同しやすい表示内容を有する操作画面どうしについて、それぞれの表示用シート領域の少なくとも一部に、互いに識別可能な異なる識別色を表示してある参照用表示シートとしたので、プリンターの操作画面を操作するに当たって、この参照用表示シートを参照することにより操作画面全体に対する位置関係を把握することが容易であるとともに、それぞれの操作画面の識別色を確認しながら操作を行うことができる。
【００２５】
とくに第五の発明においては、操作モードごとに、各操作画面に対応した表示用シート領域をシート本体に階層構造で形成し、この表示用シート領域に操作画面のタイトルをそれぞれ表示するとともに、互いに混同しやすい表示内容を有する操作画面どうしについて、それぞれの表示用シート領域の少なくとも一部に、互いに識別可能な異なる表示パターンの識別色をそれぞれ表示してある参照用表示シートとしたので、プリンターの操作画面を操作するに当たって、この参照用表示シートを参照することにより操作画面全体に対する位置関係を把握することが容易であるとともに、それぞれの操作画面の表示パターンを確認しながら操作を行うことができる。
【発明を実施するための最良の形態】
【００２６】
本発明は、操作画面の色を各種準備することにより操作画面を互いに識別可能としてので、データやコマンドの入力その他の操作に便利なプリンターを実現した。
【実施例】
【００２７】
つぎに本発明の実施例によるプリンター（たとえばサーマルプリンター１）の操作画面表示装置１０を図１ないし図１２にもとづき説明する。
図１は、サーマルプリンター１の概略回路図であって、サーマルプリンター１は、制御部２（ＣＰＵ）と、通信インターフェース３と、キー入力部４と、表示部５と、印字部６と、ＲＯＭ７と、ＲＡＭ８と、メモリーカード９と、当該操作画面表示装置１０と、を有する。
【００２８】
制御部２は、ＲＯＭ７に保存された各種の制御プログラムにもとづいて上記各部分を制御する。
【００２９】
通信インターフェース３は、サーマルプリンター１と、他のホストコンピューターあるいは各種の機器（図示せず）との間のデータないしコマンドの授受を行う。
【００３０】
キー入力部４は、数字入力を行うテンキー１１と、各種のコマンド入力を行うコマンドキー１２と、を有する
【００３１】
表示部５は、制御部２による各種の操作その他の表示を行うもので、ＬＥＤなどによる表示ランプ１３と、表示機能および操作処理機能を兼ねたタッチパネル１４と、を有する。このタッチパネル１４上に表示される各種の操作画面について、本発明による操作画面表示装置１０による表示制御が行われる。
【００３２】
印字部６は、装填されたラベルＬなどの印字用紙に印字を行うものであって、ラベルＬを移送するためプラテンローラー１５を回転駆動するモーター１６と、サーマルヘッド１７と、を有する。
【００３３】
ＲＯＭ７は、タッチパネル１４ないし操作画面表示装置１０の制御プログラムをはじめ各種の制御プログラムを保存している。
【００３４】
ＲＡＭ８は、制御部２による各種制御の処理に当たって、データや制御プログラムの一時保存などを行う。
【００３５】
メモリーカード９は、サーマルプリンター１のユーザーが各種の印字データを一時的に保存可能にその授受を行うものである。
【００３６】
操作画面表示装置１０は、上述した制御部２、キー入力部４、表示部５およびＲＯＭ７、あるいはメモリーカード９、さらにはＲＡＭ８などからこれを構成することができる。
以下、操作画面表示装置１０について説明する。
【００３７】
図２は、操作画面表示装置１０のタッチパネル１４に表示されるスタートメニュー画面１８（スタート画面、操作画面）の説明図であって、スタートメニュー画面１８は、登録モード表示欄１９と、発行モード表示欄２０と、環境設定モード表示欄２１と、履歴出力モード表示欄２２と、を表示している。
このサーマルプリンター１の各種操作モードに応じてそれぞれの操作画面を下位方向に切り替えてそれぞれ表示可能とし、それぞれの操作画面において所定の操作処理を入力可能としている。
【００３８】
本発明（第一の発明）においては、各操作モードごとの操作画面に統一した識別色を表示すること、たとえば登録モードには青色、発行モードには赤色、環境設定モードには緑色、履歴出力モードには黄色などと特色ある識別色を付与し、これをタッチパネル１４上に表示している。
具体的には、登録モード表示欄１９、発行モード表示欄２０、環境設定モード表示欄２１、履歴出力モード表示欄２２の領域内の地色を、それぞれ青、赤、緑、黄という識別色に色分けしてある（説明のため図中、括弧内にそれぞれの色を記入してある。以下、同様）。
したがって、登録モードの下位操作画面にはすべて青色、発行モードの下位操作画面にはすべて赤色、環境設定モードの下位操作画面にはすべて緑色、履歴出力モードの下位操作画面にはすべて黄色の地色を表示するようにしてある。
【００３９】
図３は、登録モード表示欄１９をタッチ（選択）したときに登録モードのすぐ下位の操作画面であるメニュー画面２３の説明図であって、メニュー画面２３においては、マスター・選択テーブル表示欄２４と、マスター・選択データ表示欄２５と、スケジュール表示欄２６と、単語テーブル表示欄２７と、レイアウト表示欄２８と、をメニューとして表示するとともに、その地色領域２９の地色を青の識別色としてあり、これらの表示欄２４、２５、２６、２７、２８が登録モード内のものであることを明確にしている。
【００４０】
図４は、同様に、発行モード表示欄２０をタッチ（選択）したときに発行モードのすぐ下位の操作画面であるメニュー画面３０の説明図であり、メニュー画面３０においては、プリセット発行表示欄３１と、バーコード検索発行表示欄３２と、スケジュール発行表示欄３３と、オンライン発行表示欄３４と、をメニューとして表示するとともに、その地色領域３５の地色を赤の識別色としてあり、これらの表示欄３１、３２、３３、３４が発行モード内のものであることを明確にしている。
【００４１】
図５は、同様に、環境設定モード表示欄２１をタッチ（選択）したときに環境設定モードのすぐ下位の操作画面であるメニュー画面３６の説明図であって、メニュー画面３６においては、プリンター設定表示欄３７と、カードメンテナンス表示欄３８と、データメンテナンス表示欄３９と、パスワード設定表示欄４０と、カレンダー設定表示欄４１と、起動画面設定表示欄４２と、発行画面設定表示欄４３と、をメニューとして表示するとともに、その地色領域４４の地色を緑の識別色としてあり、これらの表示欄３７、３８、３９、４０、４１、４２、４３が環境設定モード内のものであることを明確にしている。
【００４２】
図６は、同様に、履歴出力モード表示欄２２をタッチ（選択）したときに履歴出力モードのすぐ下位の操作画面であるメニュー画面４５の説明図であって、メニュー画面４５においては、履歴データ集計表示欄４６と、履歴データ削除表示欄４７と、をメニューとして表示するとともに、その地色領域４８の地色を黄の識別色としてあり、これらの表示欄４６、４７が履歴出力モード内のものであることを明確にしている。
【００４３】
本発明においては、操作モードごとにそれぞれの操作画面の少なくとも一部に、それぞれの操作モードを互いに識別可能なそれぞれ異なる識別色を表示するものであって、上述のように、登録モード表示欄１９、発行モード表示欄２０、環境設定モード表示欄２１および履歴出力モード表示欄２２の地色領域２９、３５、４４、４８のような地色領域、あるいはタイトル表示領域、さらにその他任意の見やすい領域を所定の識別色に表示すればよい。なお、その表示形態としても、全面表示はもちろん、スポット的あるいは帯状など任意の形態を採用可能である。
かくして、このサーマルプリンター１を操作あるいは保守点検する作業者は、それぞれの操作モードごとの識別色により、タッチパネル１４に現在表示されている操作画面がどの操作モードのものかを容易に認識可能であり、少なくとも操作モード間の混同を防止することができる。
【００４４】
たとえば、図７は、登録モード（メニュー画面２３、図３）における所定の下位操作画面に相当するマスターテーブル登録表示画面４９の説明図、図８は、環境設定モード（メニュー画面３６、図５）における所定の下位操作画面に相当するマスターテーブル選択表示画面５０の説明図であり、マスターテーブル登録表示画面４９のタイトル表示領域５１には「マスターテーブル登録」と表示され、マスターテーブル選択表示画面５０のタイトル表示領域５２には「マスターテーブル選択」と表示され、もちろん、それぞれの操作画面のタイトル自体は異なるもので、注意すれば識別は可能であるが、非常に似ている画面である。
このマスターテーブル登録表示画面４９の地色領域５３およびマスターテーブル選択表示画面５０の地色領域５４をそれぞれ青、緑に表示してあるために、それぞれ登録モードおよび環境設定モードにおける操作画面であることを識別可能である。
【００４５】
さらに、図７および図８に示すように、マスターテーブル登録表示画面４９およびマスターテーブル選択表示画面５０の操作画面の目立つ部位たとえば名称上方表示部５５および名称上方表示部５６（その他たとえば、上方左部や上方右部などの部位の表示部）に操作モードの名称すなわち、「登録モード」および「環境設定モード」とそれぞれ表示することにより、操作モード間の識別をより明確にすることができる。この操作モードの名称の表示をすべての操作画面について行うことにより、さらに操作モードの判別を確実にすることができる。
【００４６】
ただし本発明は、上述のような異なる操作モード間における操作画面の混同防止にとどまらず、同一の操作モードにおいて、同位に位置する下位操作画面どうし、あるいはその上位操作画面と下位操作画面とが同一あるいは類似の表示内容があって混同しやすい表示内容の場合には、それぞれの操作画面の少なくとも一部に、互いに識別可能な識別色にそれぞれ表示する構成（第二の発明）、あるいは、それぞれの操作画面の少なくとも一部に、ある識別色について互いに識別可能な異なる表示パターンにそれぞれ表示する構成（第三の発明）を採用することができる。
【００４７】
たとえば図９は、登録モードのメニュー画面２３（図３）において、マスター・選択テーブル表示欄２４をタッチして選択した場合のマスター・選択テーブル登録画面５７の説明図であって、このマスター・選択テーブル登録画面５７は、タイトル表示領域５８と、マスターテーブル表示欄５９と、選択テーブル表示欄６０と、を表示しているとともに、その地色領域６１を青色に表示している。
ただし、同じく登録モードの同位あるいは下位の操作画面において、同一ないし類似の操作画面がある場合には、互いに識別可能な識別色に表示することもできる。
この互いに識別可能な識別色としては、同系色の識別色であってもよいし、全く別系統の識別色を選択することもできる。
【００４８】
すなわち図１０は、マスター・選択テーブル登録画面５７のマスターテーブル表示欄５９をタッチして選択したときのマスターテーブル登録表示欄６２の説明図であって、このマスターテーブル登録表示欄６２は、タイトル表示領域６３と、テーブル表示欄６４と、を表示しているとともに、その地色領域６５を青色に表示することもできるが、同系色の識別色であって、互いに識別可能な識別色、たとえば青より薄い色の水色に表示することもできる。
【００４９】
一方、図１１は、登録モードのメニュー画面２３（図３）において、マスター・選択データ表示欄２５をタッチして選択した場合のマスター・選択データ登録画面６６の説明図であって、このマスター・選択データ登録画面６６は、タイトル表示領域６７と、マスターデータ表示欄６８と、選択データ表示欄６９と、を表示しているとともに、その地色領域７０を青色に表示する代わりに、同系色の識別色であって、互いに識別可能な識別色たとえば青紫に表示することにより、図９のマスター・選択テーブル登録画面５７との識別性を確保する。あるいは、他の操作モードや操作画面との混同を回避することができれば、同系色の青紫ではなく、別系統の色を選択することもできる。
【００５０】
図１２は、マスター・選択データ登録画面６６のマスターデータ表示欄６８をタッチして選択したときのマスターテーブル選択表示欄７１の説明図であり、このマスターテーブル選択表示欄７１は、タイトル表示領域７２と、テーブル表示欄７３と、を表示しているとともに、その地色領域７４を青色に表示する代わりに、同系色の識別色であって、互いに識別可能な識別色たとえば青紫より薄い色の薄青紫色に表示することにより、図１０のマスターテーブル登録表示欄６２との識別性を確保する。あるいは、他の操作モードや操作画面との混同を回避することができれば、同系色の青紫ではなく、別系統の色を選択することもできる。
【００５１】
登録モードとして青色をその識別色に選択し、同系色を各操作画面の地色領域に表示する際に、図９のマスター・選択テーブル登録画面５７の地色領域６１および図１０のマスターテーブル登録表示欄６２の地色領域６５と、図１１のマスター・選択データ登録画面６６の地色領域７０および図１２のマスターテーブル選択表示欄７１の地色領域７４と、の間において、その色相ないしは色調、色の強弱、濃淡や明暗、彩度や明度の高低などを互いに変化させることにより、マスター・選択テーブル登録画面５７（図９）およびマスターテーブル登録表示欄６２（図１０）の上位あるいは下位関係、さらにはマスター・選択データ登録画面６６（図１１）およびマスターテーブル選択表示欄７１（図１２）の上位あるいは下位関係を識別可能とするとともに、マスター・選択テーブル登録画面５７とマスター・選択データ登録画面６６とを互いに識別可能とし、マスターテーブル登録表示欄６２とマスターテーブル選択表示欄７１とを互いに識別可能とすることができる。
【００５２】
さらに本発明（第三の発明）においては、同じ青色の識別色であって、互いに識別可能な異なる表示パターン（たとえば、点模様、水玉模様、斜線模様、格子模様、市松模様、菱形模様、等々）に表示することもできる。たとえば図示は省略するが、地色領域６１（図９）および地色領域６５（図１０）を斜線模様とするとともに、地色領域７０（図１１）および地色領域７４（図１２）を水玉模様とすることもできる。
もちろん、この表示パターンの変化に加えて、同系色で識別可能な複数の色を採用することにより、さらに識別可能なパターンを増やすこともできる。
【００５３】
さらに本発明（第四の発明、第五の発明）においては、参照用表示シートとしてプリンターに付属させておくことができる。
図１３は、参照用表示シート８０（第四の発明）の説明図であって、参照用表示シート８０は、所定の大きさを有するシート本体８１を有し、このシート本体８１に操作モードごとに各操作画面に対応した表示用シート領域８２を階層構造で形成している。
表示用シート領域８２に操作画面のタイトルをそれぞれ表示するとともに、各操作モードに対応して、図２ないし図６にもとづいて説明したように、登録モードには青色、発行モードには赤色、環境設定モードには緑色、履歴出力モードには黄色などと特色ある識別色を付与することにより、この参照用表示シート８０上でそれぞれのモードを識別可能としている。
【００５４】
すなわち、登録モードに対応する表示用シート領域８２においては、図３に示したマスター・選択テーブル表示欄２４、マスター・選択データ表示欄２５、スケジュール表示欄２６、単語テーブル表示欄２７およびレイアウト表示欄２８のタイトルをそれぞれメニューとして表示するとともに、その表示シート領域８２の地色を青の識別色としてあり、これらの表示欄２４、２５、２６、２７、２８が登録モード内のものであることを明確にしている。
発行モードに対応する表示用シート領域８２においても同様に、図４に示した内容に相当する表示を行っている。
環境設定モードに対応する表示用シート領域８２においても同様に、図５に示した内容に相当する表示を行っている。
履歴出力モードに対応する表示用シート領域８２においても同様に、図６に示した内容に相当する表示を行っている。
【００５５】
さらに、同じ登録モード内においても、図９にもとづいて説明したマスターテーブル表示欄５９および選択テーブル表示欄６０のタイトルを表示し、表示用シート領域８２の地色を青色に表示するとともに、図１０にもとづいて説明したマスターテーブル登録表示欄６２のタイトルを表示し、かつその表示用シート領域８２の地色を青より薄い色の水色に表示して識別可能としている。
また、異なるモード間、たとえば、図１１にもとづいて説明したマスターデータ表示欄６８および選択データ表示欄６９のタイトルをそれぞれ表示しているとともに、表示用シート領域８２の地色をたとえば青紫に表示することにより、図９のマスター・選択テーブル登録画面５７との識別性を確保している。また、図１２にもとづいて説明したマスターテーブル選択表示欄７１のタイトルを表示するとともに、表示用シート領域８２の地色をたとえば青紫より薄い色の薄青紫色に表示することにより、図１０のマスターテーブル登録表示欄６２との識別性を確保している。
【００５６】
なお、詳述を省略するが、他のモードにおいても、上述と同様の表示を行うことにより、互いに混同しやすい操作画面を参照用表示シート８０上で識別することができる。
かくして、同一モード内か、あるいは異なるモード間どうしかにかかわらず、さらに同位のレベルか、あるいは上下位のレベルかにかかわらず、互いに混同しやすい表示内容を有する操作画面どうしについて、それぞれの表示用シート領域８２の少なくとも一部に、互いに識別可能な異なる識別色を表示することにより、参照用表示シート８０上で操作画面の全体を参照しつつ、それぞれの操作画面を識別可能として、プリンターの操作画面上における各種操作の補助とすることができる。
【００５７】
さらに本発明（第五の発明）においては、第四の発明による参照用表示シート８０と前記第三の発明を組み合わせることができる。
すなわち、その図示を省略するが、互いに混同しやすい表示内容を有する操作画面どうしについて、シート本体８１におけるそれぞれの表示用シート領域８２の少なくとも一部に、互いに識別可能な異なる表示パターンの識別色をそれぞれ表示してある参照用表示シートとすることができる。
この表示パターンとしては、前記第三の発明におけるように、たとえば同じ青色の識別色であって、互いに識別可能な異なる、たとえば、点模様、水玉模様、斜線模様、格子模様、市松模様、菱形模様、等々に表示することもできる。
【図面の簡単な説明】
【００５８】
【図１】本発明の実施例による操作画面表示装置１０を備えたサーマルプリンター１の概略回路図である。
【図２】同、タッチパネル１４に表示されるスタートメニュー画面１８の説明図である。
【図３】同、登録モード表示欄１９を選択したときに登録モードのすぐ下位の操作画面であるメニュー画面２３の説明図である。
【図４】同、発行モード表示欄２０を選択したときに発行モードのすぐ下位の操作画面であるメニュー画面３０の説明図である。
【図５】同、環境設定モード表示欄２１を選択したときに環境設定モードのすぐ下位の操作画面であるメニュー画面３６の説明図である。
【図６】同、履歴出力モード表示欄２２を選択したときに履歴出力モードのすぐ下位の操作画面であるメニュー画面４５の説明図である。
【図７】同、登録モード（メニュー画面２３、図３）における所定の下位操作画面に相当するマスターテーブル登録表示画面４９の説明図である。
【図８】同、環境設定モード（メニュー画面３６、図５）における所定の下位操作画面に相当するマスターテーブル選択表示画面５０の説明図である。
【図９】同、登録モードのメニュー画面２３（図３）において、マスター・選択テーブル表示欄２４を選択した場合のマスター・選択テーブル登録画面５７の説明図である。
【図１０】同、マスター・選択テーブル登録画面５７のマスターテーブル表示欄５９を選択したときのマスターテーブル登録表示欄６２の説明図である。
【図１１】同、登録モードのメニュー画面２３（図３）において、マスター・選択データ表示欄２５を選択した場合のマスター・選択データ登録画面６６の説明図である。
【図１２】同、マスター・選択データ登録画面６６のマスターデータ表示欄６８を選択したときのマスターテーブル選択表示欄７１の説明図である。
【図１３】本発明（第四の発明、第五の発明）による参照用表示シート８０の説明図である。
【符号の説明】
【００５９】
１  サーマルプリンター（プリンター、図１）
２  制御部
３  通信インターフェース
４  キー入力部
５  表示部
６  印字部
７  ＲＯＭ
８  ＲＡＭ
９  メモリーカード
１０  サーマルプリンター１の操作画面表示装置（実施例、第一および第二の発明、図１）
１１  テンキー
１２  コマンドキー
１３  表示ランプ
１４  タッチパネル
１５  プラテンローラー
１６  モーター
１７  サーマルヘッド
１８  スタートメニュー画面（スタート画面、操作画面、図２）
１９  登録モード表示欄（青）
２０  発行モード表示欄（赤）
２１  環境設定モード表示欄（緑）
２２  履歴出力モード表示欄（黄）
２３  メニュー画面（操作画面、図３）
２４  マスター・選択テーブル表示欄
２５  マスター・選択データ表示欄
２６  スケジュール表示欄
２７  単語テーブル表示欄
２８  レイアウト表示欄
２９  メニュー画面２３の地色領域（青）
３０  メニュー画面（操作画面、図４）
３１  プリセット発行表示欄
３２  バーコード検索発行表示欄
３３  スケジュール発行表示欄
３４  オンライン発行表示欄
３５  メニュー画面３０の地色領域（赤）
３６  メニュー画面（操作画面、図５）
３７  プリンター設定表示欄
３８  カードメンテナンス表示欄
３９  データメンテナンス表示欄
４０  パスワード設定表示欄
４１  カレンダー設定表示欄
４２  起動画面設定表示欄
４３  発行画面設定表示欄
４４  メニュー画面３６の地色領域（緑）
４５  メニュー画面（操作画面、図６）
４６  履歴データ集計表示欄
４７  履歴データ削除表示欄
４８  メニュー画面４５の地色領域（黄）
４９  マスターテーブル登録表示画面（図７）
５０  マスターテーブル選択表示画面（図８）
５１  マスターテーブル登録表示画面４９のタイトル表示領域
５２  マスターテーブル選択表示画面５０のタイトル表示領域
５３  マスターテーブル登録表示画面４９の地色領域（青）
５４  マスターテーブル選択表示画面５０の地色領域（緑）
５５  マスターテーブル登録表示画面４９の名称上方表示部
５６  マスターテーブル選択表示画面５０の名称上方表示部
５７  マスター・選択テーブル登録画面（図９）
５８  マスター・選択テーブル登録画面５７のタイトル表示領域
５９  マスターテーブル表示欄
６０  選択テーブル表示欄
６１  マスター・選択テーブル登録画面５７の地色領域（青）
６２  マスターテーブル登録表示欄（図１０）
６３  マスターテーブル登録表示欄６２のタイトル表示領域
６４  テーブル表示欄
６５  マスターテーブル登録表示欄６２の地色領域（青あるいは水色）
６６  マスター・選択データ登録画面（図１１）
６７  マスター・選択データ登録画面６６のタイトル表示領域
６８  マスターデータ表示欄
６９  選択データ表示欄
７０  マスター・選択データ登録画面６６の地色領域（青紫）
７１  マスターテーブル選択表示欄（図１２）
７２  マスターテーブル選択表示欄７１のタイトル表示領域
７３  テーブル表示欄
７４  マスターテーブル選択表示欄７１の地色領域（青紫あるいは薄青紫）
８０  参照用表示シート（第四および第五の発明、図１３）
８１  シート本体
８２  表示用シート領域
Ｌ    ラベル（図１）
【図１】
2006116885.tif 000003
【図２】
2006116885.tif 000004
【図３】
2006116885.tif 000005
【図４】
2006116885.tif 000006
【図５】
2006116885.tif 000007
【図６】
2006116885.tif 000008
【図７】
2006116885.tif 000009
【図８】
2006116885.tif 000010
【図９】
2006116885.tif 000011
【図１０】
2006116885.tif 000012
【図１１】
2006116885.tif 000013
【図１２】
2006116885.tif 000014
【図１３】
2006116885.tif 000015